【手続補正書】
【提出日】平成16年12月1日(2004.12.1)
【手続補正１】
【補正対象書類名】明細書
【補正対象項目名】特許請求の範囲
【補正方法】変更
【補正の内容】
【特許請求の範囲】
【請求項１】
複数の画像データを蓄積した画像データベースから所望の画像データを検索する画像検索装置であって、
前記複数の画像データそれぞれと、それぞれの画像データの画像特徴量を対応付けて記憶する記憶手段と、
入力画面を用いて画像を入力する入力手段と、
前記入力手段で入力された画像の画像特徴量を計算する画像特徴量計算手段と、
前記画像特徴量計算手段で計算された画像特徴量と、前記記憶手段に記憶された画像データの画像特徴量に基づいて、画像類似度を計算する画像類似度計算手段と
を備えることを特徴とする画像検索装置。
【請求項２】
前記画像類似度計算手段で計算された画像類似度に基づいて、検索結果とする画像データに対応する縮小画像の一覧を表示する画像表示手段と
を更に備えることを特徴とする請求項１に記載の画像検索装置。
【請求項３】
前記画像表示手段は、前記縮小画像の各々に関連付けられた詳細画像を表示する表示制御手段を備え、
前記表示制御手段は、前記縮小画像のうち、１個または複数個の縮小画像が選択されると、選択された縮小画像に関連付けられた詳細画像を表示する
ことを特徴とする請求項２に記載の画像検索装置。
【請求項４】
前記入力画面と前記画像表示手段が表示する表示画面が、表示装置上に同時に表示される
ことを特徴とする請求項２に記載の画像検索装置。
【請求項５】
前記入力画面と前記画像表示手段が表示する表示画面が、指示に応じて表示装置上に交互に表示される
ことを特徴とする請求項２に記載の画像検索装置。
【請求項６】
複数の画像データを蓄積した画像データベースから所望の画像データを検索する画像検索方法であって、
前記複数の画像データそれぞれと、それぞれの画像データの画像特徴量を対応付けて記憶媒体に記憶する記憶工程と、
入力画面に入力された画像の画像特徴量を計算する画像特徴量計算工程と、
前記画像特徴量計算工程で計算された画像特徴量と、前記記憶工程で記憶媒体に記憶された画像データの画像特徴量に基づいて、画像類似度を計算する画像類似度計算工程と
を備えることを特徴とする画像検索方法。
【請求項７】
前記画像類似度計算工程で計算された画像類似度に基づいて、検索結果とする画像データに対応する縮小画像の一覧を表示する画像表示工程と
を更に備えることを特徴とする請求項６に記載の画像検索方法。
【請求項８】
前記画像表示工程は、前記縮小画像の各々に関連付けられた詳細画像を表示する表示制御工程を備え、
前記表示制御工程は、前記縮小画像のうち、１個または複数個の縮小画像が選択されると、選択された縮小画像に関連付けられた詳細画像を表示する
ことを特徴とする請求項７に記載の画像検索方法。
【請求項９】
前記入力画面に入力された画像と前記画像表示工程で表示する検索結果とする画像データの一覧が、表示装置上に同時に表示される
ことを特徴とする請求項７に記載の画像検索方法。
【請求項１０】
複数の画像データを蓄積した画像データベースから所望の画像データを検索する画像検索のプログラムコードが格納されたコンピュータ可読メモリであって、
前記複数の画像データそれぞれと、それぞれの画像データの画像特徴量を対応付けて記憶媒体に記憶する記憶工程のプログラムコードと、
入力画面に入力された画像の画像特徴量を計算する画像特徴量計算工程のプログラムコードと、
前記画像特徴量計算工程で計算された画像特徴量と、前記記憶工程で記憶媒体に記憶された画像データの画像特徴量に基づいて、画像類似度を計算する画像類似度計算工程のプログラムコードと
を備えることを特徴とするコンピュータ可読メモリ。
【請求項１１】
複数の画像データを蓄積した画像データベースから所望の画像データを検索する画像検索装置であって、
前記複数の画像データそれぞれと、それぞれの画像データの画像特徴量を対応付けて記憶する記憶手段と、
入力画面を用いて画像を入力する入力手段と、
前記入力手段で入力された画像の画像特徴量を計算する画像特徴量計算手段と、
前記画像特徴量計算手段で計算された画像特徴量と、前記記憶手段に記憶された画像データの画像特徴量に基づいて、画像類似度を計算する画像類似度計算手段と、
前記画像類似度計算手段で計算された画像類似度に基づいて、検索結果とする画像データの一覧を表示する画像表示手段と、
前記入力画面と前記画像表示手段が表示する表示画面を表示装置の同一画面上に表示制御する表示制御手段と
を備えることを特徴とする画像検索装置。
【請求項１２】
前記画像特徴量計算手段は、前記入力手段によって画像の変更が加えられる毎に、描画された画像の画像特徴量を計算する
ことを特徴とする請求項１１に記載の画像検索装置。
【請求項１３】
前記画像特徴量計算手段は、前記入力手段による画像の入力の開始時間を管理する管理手段と、
前記入力手段より画像を構成するストロークが入力される毎に、前記開始時間からの経過時間を算出する算出手段とを備え、
前記算出手段で算出された経過時間に基づいて、前記入力手段で入力された画像の画像特徴量を計算する
ことを特徴とする請求項１１に記載の画像検索装置。
【請求項１４】
前記画像特徴量計算手段は、所定時間間隔毎に前記入力手段で入力された画像の画像特徴量を計算する
ことを特徴とする請求項１１に記載の画像検索装置。
【請求項１５】
前記画像特徴量計算手段は、前記入力手段から画像を構成するストロークが入力された回数に応じて、直前までに前記入力手段により入力された画像の画像特徴量を計算する
ことを特徴とする請求項１１に記載の画像検索装置。
【請求項１６】
複数の画像データを蓄積した画像データベースから所望の画像データを検索する画像検索方法であって、
前記複数の画像データそれぞれと、それぞれの画像データの画像特徴量を対応付けて記憶媒体に記憶する記憶工程と、
入力画面に入力された画像の画像特徴量を計算する画像特徴量計算工程と、
前記画像特徴量計算工程で計算された画像特徴量と、前記記憶工程で記憶媒体に記憶された画像データの画像特徴量に基づいて、画像類似度を計算する画像類似度計算工程と、
前記画像類似度計算工程で計算された画像類似度に基づいて、検索結果とする画像データの一覧を表示する画像表示工程と、
前記入力画面と前記画像表示工程が表示する表示画面を表示装置の同一画面上に表示制御する表示制御工程と
を備えることを特徴とする画像検索方法。
【請求項１７】
前記画像特徴量計算工程は、前記入力画面に入力された画像の変更が加えれる毎に、描画された画像の画像特徴量を計算する
ことを特徴とする請求項１６に記載の画像検索方法。
【請求項１８】
前記画像特徴量計算工程は、前記入力画面に対する画像の入力の開始時間を記憶媒体に管理する管理工程と、
前記入力画面に画像を構成するストロークが入力される毎に、前記開始時間からの経過時間を算出する算出工程とを備え、
前記算出工程で算出された経過時間に基づいて、前記入力画面に入力された画像の画像特徴量を計算する
ことを特徴とする請求項１６に記載の画像検索方法。
【請求項１９】
前記画像特徴量計算工程は、所定時間間隔毎に前記入力画面に入力された画像の画像特徴量を計算する
ことを特徴とする請求項１６に記載の画像検索方法。
【請求項２０】
前記画像特徴量計算工程は、前記入力画面に画像を構成するストロークが入力された回数に応じて、直前までに該入力画面に入力された画像の画像特徴量を計算する
ことを特徴とする請求項１６に記載の画像検索方法。
【請求項２１】
複数の画像データを蓄積した画像データベースから所望の画像データを検索する画像検索のプログラムコードが格納されたコンピュータ可読メモリであって、
前記複数の画像データそれぞれと、それぞれの画像データの画像特徴量を対応付けて記憶媒体に記憶する記憶工程のプログラムコードと、
入力画面に入力された画像の画像特徴量を計算する画像特徴量計算工程のプログラムコードと、
前記画像特徴量計算工程で計算された画像特徴量と、前記記憶工程で記憶媒体に記憶された画像データの画像特徴量に基づいて、画像類似度を計算する画像類似度計算工程のプログラムコードと、
前記画像類似度計算工程で計算された画像類似度に基づいて、検索結果とする画像データの一覧を表示する画像表示工程のプログラムコードと、
前記入力画面と前記画像表示工程が表示する表示画面を表示装置の同一画面上に表示制御する表示制御工程のプログラムコードと
を備えることを特徴とするコンピュータ可読メモリ。
【請求項２２】
複数の画像データを蓄積した画像データベースから所望の画像データを検索する画像検索装置であって、
前記複数の画像データそれぞれと、それぞれの画像データの画像特徴量を対応付けて管理する管理手段と、
入力画面を用いて第１検索条件とする画像を入力する入力手段と、
前記第１検索条件とする画像の第１画像特徴量を計算する画像特徴量計算手段と、
前記第１画像特徴量と、前記管理手段に管理された画像データの画像特徴量に基づいて、画像類似度を計算する画像類似度計算手段と、
前記画像類似度計算手段で計算された画像類似度に基づいて、検索結果とする画像データの一覧を表示する画像表示手段と、
前記第１検索条件を修正して再検索を行う場合に前記入力手段より入力された第２検索条件とする画像の第２画像特徴量と前記第１画像特徴量とに基づいて、前記画像類似度計算手段乃び前記画像表示手段を実行するか否かを決定する決定手段と
を備えることを特徴とする画像検索装置。
【請求項２３】
前記決定手段は、前記第１画像特徴量を記憶する記憶手段を備え、
前記記憶手段は、前記第２検索条件とする画像が入力される直前の第１検索条件とする画像の第１画像特徴量を記憶する
ことを特徴とする請求項２２に記載の画像検索装置。
【請求項２４】
前記決定手段は、前記第２画像特徴量と前記第１画像特徴量の間の画像間距離を計算し、前記画像間距離が所定以下の場合、前記画像類似度計算手段乃び前記画像表示手段の実行をしない
ことを特徴とする請求項２３に記載の画像検索装置。
【請求項２５】
前記入力画面と前記画像表示手段が表示する表示画面を表示部の同一画面上に表示制御する表示制御手段と
を更に備えることを特徴とする請求項２３に記載の画像検索装置。
【請求項２６】
複数の画像データを蓄積した画像データベースから所望の画像データを検索する画像検索方法であって、
前記複数の画像データそれぞれと、それぞれの画像データの画像特徴量を対応付けて記憶媒体に管理する管理工程と、
入力画面に入力された第１検索条件とする画像の第１画像特徴量を計算する画像特徴量計算工程と、
前記第１画像特徴量と、前記管理工程で記憶媒体に管理された画像データの画像特徴量に基づいて、画像類似度を計算する画像類似度計算工程と、
前記画像類似度計算工程で計算された画像類似度に基づいて、検索結果とする画像データの一覧を表示する画像表示工程と、
前記第１検索条件を修正して再検索を行う場合に前記入力画面に入力された第２検索条件とする画像の第２画像特徴量と前記第１画像特徴量とに基づいて、前記画像類似度計算工程乃び前記画像表示工程を実行するか否かを決定する決定工程と
を備えることを特徴とする画像検索方法。
【請求項２７】
前記決定工程は、前記第２検索条件とする画像が入力される直前の第１検索条件とする画像の第１画像特徴量と、前記第２画像特徴量を比較する
ことを特徴とする請求項２６に記載の画像検索方法。
【請求項２８】
前記決定工程は、前記第２画像特徴量と前記第１画像特徴量の間の画像間距離を計算し、前記画像間距離が所定以下の場合、前記画像類似度計算工程乃び前記画像表示工程の実行をしない
ことを特徴とする請求項２６に記載の画像検索方法。
【請求項２９】
複数の画像データを蓄積した画像データベースから所望の画像データを検索する画像検索のプログラムコードが格納されたコンピュータ可読メモリであって、
前記複数の画像データそれぞれと、それぞれの画像データの画像特徴量を対応付けて記憶媒体に管理する管理工程のプログラムコードと、
入力画面に入力された第１検索条件とする画像の第１画像特徴量を計算する画像特徴量計算工程のプログラムコードと、
前記第１画像特徴量と、前記管理工程で記憶媒体に管理された画像データの画像特徴量に基づいて、画像類似度を計算する画像類似度計算工程のプログラムコードと、
前記画像類似度計算工程で計算された画像類似度に基づいて、検索結果とする画像データの一覧を表示する画像表示工程のプログラムコードと、
前記第１検索条件を修正して再検索を行う場合に前記入力画面に入力された第２検索条件とする画像の第２画像特徴量と前記第１画像特徴量とに基づいて、前記画像類似度計算工程乃び前記画像表示工程を実行するか否かを決定する決定工程のプログラムコードと
を備えることを特徴とするコンピュータ可読メモリ。
【請求項３０】
複数の画像データを蓄積した画像データベースから所望の画像データを検索する画像検索装置であって、
前記複数の画像データそれぞれと、それぞれの画像データの画像特徴量を対応付けて記憶する記憶手段と、
入力画面を用いて画像を入力する入力手段と、
前記入力手段で入力された画像の画像特徴量を計算する画像特徴量計算手段と、
前記画像特徴量計算手段で計算された画像特徴量と、前記記憶手段に記憶された画像データの画像特徴量に基づいて、画像類似度を計算する画像類似度計算手段と、
前記画像類似度計算手段で計算された画像類似度に基づいて、検索結果とする画像データの一覧を表示する画像表示手段と、
前記画像表示手段による表示を中断する中断手段と
を備えることを特徴とする画像検索装置。
【請求項３１】
前記中断手段は、前記入力手段の入力を監視する監視手段を備え、
前記監視手段の監視の結果、前記ユーザが描画した画像に変更を加える画像が前記入力手段によって入力された場合に、前記画像表示手段による表示を中断する
ことを特徴とする請求項３０に記載の画像検索装置。
【請求項３２】
前記中断手段は、前記ユーザが描画した画像に変更を加える画像の変更量が所定量を越える場合、前記画像表示手段による表示を中断する
ことを特徴とする請求項３０に記載の画像検索装置。
【請求項３３】
前記画像特徴量計算手段は、前記入力手段によって画像の変更が加えれる毎に、描画された画像の画像特徴量を計算する
ことを特徴とする請求項３０に記載の画像検索装置。
【請求項３４】
前記入力画面と前記画像表示手段が表示する表示画面の表示部の同一画面上に表示制御する表示制御手段と
を更に備えることを特徴とする請求項３０に記載の画像検索装置。
【請求項３５】
複数の画像データを蓄積した画像データベースから所望の画像データを検索する画像検索方法であって、
前記複数の画像データそれぞれと、それぞれの画像データの画像特徴量を対応付けて記憶媒体に記憶する記憶工程と、
入力画面に入力された画像の画像特徴量を計算する画像特徴量計算工程と、
前記画像特徴量計算工程で計算された画像特徴量と、前記記憶工程で記憶媒体に記憶された画像データの画像特徴量に基づいて、画像類似度を計算する画像類似度計算工程と、
前記画像類似度計算工程で計算された画像類似度に基づいて、検索結果とする画像データの一覧を表示する画像表示工程と、
前記画像表示工程による表示を中断する中断工程と
を備えることを特徴とする画像検索方法。
【請求項３６】
前記中断工程は、前記入力画面に対する入力を監視する監視工程を備え、
前記監視工程の監視の結果、前記ユーザが描画した画像に変更を加える画像が前記入力画面に入力された場合に、前記画像表示工程による表示を中断する
ことを特徴とする請求項３５に記載の画像検索方法。
【請求項３７】
前記中断工程は、前記ユーザが描画した画像に変更を加える画像の変更量が所定量を越える場合、前記画像表示工程による表示を中断する
ことを特徴とする請求項３５に記載の画像検索方法。
【請求項３８】
前記画像特徴量計算工程は、前記入力画面に入力された画像の変更が加えれる毎に、描画された画像の画像特徴量を計算する
ことを特徴とする請求項３５に記載の画像検索方法。
【請求項３９】
複数の画像データを蓄積した画像データベースから所望の画像データを検索する画像検索のプログラムコードが格納されたコンピュータ可読メモリであって、
前記複数の画像データそれぞれと、それぞれの画像データの画像特徴量を対応付けて記憶媒体に記憶する記憶工程のプログラムコードと、
入力画面に入力された画像の画像特徴量を計算する画像特徴量計算工程のプログラムコードと、
前記画像特徴量計算工程で計算された画像特徴量と、前記記憶工程で記憶媒体に記憶された画像データの画像特徴量に基づいて、画像類似度を計算する画像類似度計算工程のプログラムコードと、
前記画像類似度計算工程で計算された画像類似度に基づいて、検索結果とする画像データの一覧を表示する画像表示工程のプログラムコードと、
前記画像表示工程による表示を中断する中断工程のプログラムコードと
を備えることを特徴とするコンピュータ可読メモリ。
【請求項４０】
複数の画像データを蓄積した画像データベースから所望の画像データを検索する画像検索装置であって、
前記複数の画像データそれぞれと、それぞれの画像データの画像特徴量を対応付けて記憶する記憶手段と、
入力画面を用いて画像を入力する入力手段と、
前記入力手段で入力された画像の画像特徴量を計算する画像特徴量計算手段と、
前記画像特徴量計算手段で計算された画像特徴量と、前記記憶手段に記憶された画像データの画像特徴量に基づいて、画像類似度を計算する画像類似度計算手段と、
前記画像類似度計算手段で計算された画像類似度に基づいて、検索結果とする画像データの一覧を表示する画像表示手段と、
前記画像表示手段で一度表示された画像データをキャッシュするキャッシュ手段と
を備えることを特徴とする画像検索装置。
【請求項４１】
前記キャッシュ手段でキャッシュされた画像データを削除する削除手段と
を更に備えることを特徴とする請求項４０に記載の画像検索装置。
【請求項４２】
前記削除手段は、前記キャッシュ手段にキャッシュされた画像データの前記画像表示手段で表示された際の使用頻度を計数する計数手段を備え、
前記計数手段が計数する使用頻度に基づいて、前記キャッシュ手段にキャッシュされた画像データを削除する
ことを特徴とする請求項４０に記載の画像検索装置。
【請求項４３】
複数の画像データを蓄積した画像データベースから所望の画像データを検索する画像検索方法であって、
前記複数の画像データそれぞれと、それぞれの画像データの画像特徴量を対応付けて第１記憶媒体に記憶する記憶工程と、
入力画面に入力された画像の画像特徴量を計算する画像特徴量計算工程と、
前記画像特徴量計算工程で計算された画像特徴量と、前記記憶工程で第１記憶媒体に記憶された画像データの画像特徴量に基づいて、画像類似度を計算する画像類似度計算工程と、
前記画像類似度計算工程で計算された画像類似度に基づいて、検索結果とする画像データの一覧を表示する画像表示工程と、
前記画像表示工程で一度表示された画像データを第２記憶媒体にキャッシュするキャッシュ工程と
を備えることを特徴とする画像検索方法。
【請求項４４】
複数の画像データを蓄積した画像データベースから所望の画像データを検索する画像検索のプログラムコードが格納されたコンピュータ可読メモリであって、
前記複数の画像データそれぞれと、それぞれの画像データの画像特徴量を対応付けて第１記憶媒体に記憶する記憶工程のプログラムコードと、
入力画面に入力された画像の画像特徴量を計算する画像特徴量計算工程のプログラムコードと、
前記画像特徴量計算工程で計算された画像特徴量と、前記記憶工程で第１記憶媒体に記憶された画像データの画像特徴量に基づいて、画像類似度を計算する画像類似度計算工程のプログラムコードと、
前記画像類似度計算工程で計算された画像類似度に基づいて、検索結果とする画像データの一覧を表示する画像表示工程のプログラムコードと、
前記画像表示工程で一度表示された画像データを第２記憶媒体にキャッシュするキャッシュ工程のプログラムコードと
を備えることを特徴とするコンピュータ可読メモリ。
【請求項４５】
複数の画像データを蓄積した画像データベースから所望の画像データを検索する画像検索装置であって、
前記複数の画像データそれぞれと、それぞれの画像データの画像特徴量を対応付けて記憶する記憶手段と、
画像を入力する入力手段と、
前記入力手段で入力された画像の画像特徴量を計算する画像特徴量計算手段と、
前記画像特徴量計算手段で計算された画像特徴量と、前記記憶手段に記憶された画像データの画像特徴量に基づいて、画像類似度を計算する画像類似度計算手段と、
前記画像類似度計算手段で計算された画像類似度に基づいて、検索結果とする画像データの一覧を表示する画像表示手段と、
前記画像表示手段で表示対象の画像データが前回の表示で既に表示されている画像データであるか否かを判定する判定手段と、
前記判定手段の判定結果に基づいて、前記画像表示手段による表示を制御する制御手段と
を備えることを特徴とする画像検索装置。
【請求項４６】
前記制御手段は、前記判定手段の判定の結果、前記表示対象の画像データが前回の表示で既に表示されている画像データである場合、該画像データの表示に対する処理をスキップする
ことを特徴とする請求項４５に記載の画像検索装置。
【請求項４７】
前記判定手段は、前記画像表示手段で表示された画像データを示すＩＤ情報と、該画像データの表示位置を示す位置情報を対応づけて管理する管理手段を備え、
前記管理手段で管理される管理内容を参照して、前記表示対象の表示対象の画像データが前回の表示で既に表示されている画像データであるか否かを判定する
ことを特徴とする請求項４５に記載の画像検索装置。
【請求項４８】
前記画像表示手段は、前記表示対象の画像データをキャッシュするキャッシュ手段とを備え、
前記制御手段は、前記判定手段の判定の結果、前記表示対象の画像データが前回の表示で既に表示されている画像データでなく、かつ該表示対象の画像データが前記キャッシュ手段にキャッシュされている場合、その画像データを用いて前記画像表示手段による表示を制御する
ことを特徴とする請求項４５に記載の画像検索装置。
【請求項４９】
前記制御手段は、前記入力手段による入力の有無を監視する監視手段を備え、
前記監視手段の監視結果に基づいて、前記画像表示手段による表示を中断する
ことを特徴とする請求項４４に記載の画像検索装置。
【請求項５０】
複数の画像データを蓄積した画像データベースから所望の画像データを検索する画像検索方法であって、
前記複数の画像データそれぞれと、それぞれの画像データの画像特徴量を対応付けて第１記憶媒体に記憶する記憶工程と、
入力された画像の画像特徴量を計算する画像特徴量計算工程と、
前記画像特徴量計算工程で計算された画像特徴量と、前記記憶工程で第１記憶媒体に記憶された画像データの画像特徴量に基づいて、画像類似度を計算する画像類似度計算工程と、
前記画像類似度計算工程で計算された画像類似度に基づいて、検索結果とする画像データの一覧を表示する画像表示工程と、
前記画像表示工程で表示対象の画像データが前回の表示で既に表示されている画像データであるか否かを判定する判定工程と、
前記判定工程の判定結果に基づいて、前記画像表示工程による表示を制御する制御工程と
を備えることを特徴とする画像検索方法。
【請求項５１】
前記判定工程は、前記画像表示工程で表示された画像データを示すＩＤ情報と、該画像データの表示位置を示す位置情報を対応づけて第２記憶媒体に管理する管理工程を備え、
前記管理工程で第２記憶媒体に管理される管理内容を参照して、前記表示対象の表示対象の画像データが前回の表示で既に表示されている画像データであるか否かを判定する
ことを特徴とする請求項５０に記載の画像検索方法。
【請求項５２】
前記制御工程は、画像の入力の有無を監視する監視工程を備え、
前記監視工程の監視結果に基づいて、前記画像表示工程による表示を中断する
ことを特徴とする請求項５０に記載の画像検索方法。
【請求項５３】
複数の画像データを蓄積した画像データベースから所望の画像データを検索する画像検索のプログラムコードが格納されたコンピュータ可読メモリであって、
前記複数の画像データそれぞれと、それぞれの画像データの画像特徴量を対応付けて第１記憶媒体に記憶する記憶工程のプログラムコードと、
入力された画像の画像特徴量を計算する画像特徴量計算工程のプログラムコードと、
前記画像特徴量計算工程で計算された画像特徴量と、前記記憶工程で第１記憶媒体に記憶された画像データの画像特徴量に基づいて、画像類似度を計算する画像類似度計算工程のプログラムコードと、
前記画像類似度計算工程で計算された画像類似度に基づいて、検索結果とする画像データの一覧を表示する画像表示工程のプログラムコードと、
前記画像表示工程で表示対象の画像データが前回の表示で既に表示されている画像データであるか否かを判定する判定工程のプログラムコードと、
前記判定工程の判定結果に基づいて、前記画像表示工程による表示を制御する制御工程のプログラムコードと
を備えることを特徴とするコンピュータ可読メモリ。
【手続補正２】
【補正対象書類名】明細書
【補正対象項目名】００１０
【補正方法】変更
【補正の内容】
【００１０】
上記の目的を達成するための本発明による画像検索装置は以下の構成を備える。即ち、
複数の画像データを蓄積した画像データベースから所望の画像データを検索する画像検索装置であって、
前記複数の画像データそれぞれと、それぞれの画像データの画像特徴量を対応付けて記憶する記憶手段と、
入力画面を用いて画像を入力する入力手段と、
前記入力手段で入力された画像の画像特徴量を計算する画像特徴量計算手段と、
前記画像特徴量計算手段で計算された画像特徴量と、前記記憶手段に記憶された画像データの画像特徴量に基づいて、画像類似度を計算する画像類似度計算手段と、
前記画像類似度計算手段で計算された画像類似度に基づいて、検索結果とする画像データの一覧を表示する画像表示手段と、
前記入力画面と前記画像表示手段が表示する表示画面を表示装置の同一画面上に表示制御する表示制御手段と
を備える。
【手続補正３】
【補正対象書類名】明細書
【補正対象項目名】００１１
【補正方法】変更
【補正の内容】
【００１１】
上記の目的を達成するための本発明による画像検索方法は以下の構成を備える。即ち、
複数の画像データを蓄積した画像データベースから所望の画像データを検索する画像検索方法であって、
前記複数の画像データそれぞれと、それぞれの画像データの画像特徴量を対応付けて記憶媒体に記憶する記憶工程と、
入力画面に入力された画像の画像特徴量を計算する画像特徴量計算工程と、
前記画像特徴量計算工程で計算された画像特徴量と、前記記憶工程で記憶媒体に記憶された画像データの画像特徴量に基づいて、画像類似度を計算する画像類似度計算工程と、
前記画像類似度計算工程で計算された画像類似度に基づいて、検索結果とする画像データの一覧を表示する画像表示工程と、
前記入力画面と前記画像表示工程が表示する表示画面を表示装置の同一画面上に表示制御する表示制御工程と
を備える。
【手続補正４】
【補正対象書類名】明細書
【補正対象項目名】００１２
【補正方法】変更
【補正の内容】
【００１２】
上記の目的を達成するための本発明によるコンピュータ可読メモリは以下の構成を備える。即ち、
複数の画像データを蓄積した画像データベースから所望の画像データを検索する画像検索のプログラムコードが格納されたコンピュータ可読メモリであって、
前記複数の画像データそれぞれと、それぞれの画像データの画像特徴量を対応付けて記憶媒体に記憶する記憶工程のプログラムコードと、
入力画面に入力された画像の画像特徴量を計算する画像特徴量計算工程のプログラムコードと、
前記画像特徴量計算工程で計算された画像特徴量と、前記記憶工程で記憶媒体に記憶された画像データの画像特徴量に基づいて、画像類似度を計算する画像類似度計算工程のプログラムコードと、
前記画像類似度計算工程で計算された画像類似度に基づいて、検索結果とする画像データの一覧を表示する画像表示工程のプログラムコードと、
前記入力画面と前記画像表示工程が表示する表示画面を表示装置の同一画面上に表示制御する表示制御工程のプログラムコードと
を備える。
【手続補正５】
【補正対象書類名】明細書
【補正対象項目名】００１３
【補正方法】変更
【補正の内容】
【００１３】
上記の目的を達成するための本発明による画像検索装置は以下の構成を備える。即ち、
複数の画像データを蓄積した画像データベースから所望の画像データを検索する画像検索装置であって、
前記複数の画像データそれぞれと、それぞれの画像データの画像特徴量を対応付けて管理する管理手段と、
入力画面を用いて第１検索条件とする画像を入力する入力手段と、
前記第１検索条件とする画像の第１画像特徴量を計算する画像特徴量計算手段と、
前記第１画像特徴量と、前記管理手段に管理された画像データの画像特徴量に基づいて、画像類似度を計算する画像類似度計算手段と、
前記画像類似度計算手段で計算された画像類似度に基づいて、検索結果とする画像データの一覧を表示する画像表示手段と、
前記第１検索条件を修正して再検索を行う場合に前記入力手段より入力された第２検索条件とする画像の第２画像特徴量と前記第１画像特徴量とに基づいて、前記画像類似度計算手段乃び前記画像表示手段を実行するか否かを決定する決定手段と
を備える。
【手続補正６】
【補正対象書類名】明細書
【補正対象項目名】００１４
【補正方法】変更
【補正の内容】
【００１４】
上記の目的を達成するための本発明による画像検索方法は以下の構成を備える。即ち、
複数の画像データを蓄積した画像データベースから所望の画像データを検索する画像検索方法であって、
前記複数の画像データそれぞれと、それぞれの画像データの画像特徴量を対応付けて記憶媒体に管理する管理工程と、
入力画面に入力された第１検索条件とする画像の第１画像特徴量を計算する画像特徴量計算工程と、
前記第１画像特徴量と、前記管理工程で記憶媒体に管理された画像データの画像特徴量に基づいて、画像類似度を計算する画像類似度計算工程と、
前記画像類似度計算工程で計算された画像類似度に基づいて、検索結果とする画像データの一覧を表示する画像表示工程と、
前記第１検索条件を修正して再検索を行う場合に前記入力画面に入力された第２検索条件とする画像の第２画像特徴量と前記第１画像特徴量とに基づいて、前記画像類似度計算工程乃び前記画像表示工程を実行するか否かを決定する決定工程と
を備える。
【手続補正７】
【補正対象書類名】明細書
【補正対象項目名】００１５
【補正方法】変更
【補正の内容】
【００１５】
上記の目的を達成するための本発明によるコンピュータ可読メモリは以下の構成を備える。即ち、
複数の画像データを蓄積した画像データベースから所望の画像データを検索する画像検索のプログラムコードが格納されたコンピュータ可読メモリであって、
前記複数の画像データそれぞれと、それぞれの画像データの画像特徴量を対応付けて記憶媒体に管理する管理工程のプログラムコードと、
入力画面に入力された第１検索条件とする画像の第１画像特徴量を計算する画像特徴量計算工程のプログラムコードと、
前記第１画像特徴量と、前記管理工程で記憶媒体に管理された画像データの画像特徴量に基づいて、画像類似度を計算する画像類似度計算工程のプログラムコードと、
前記画像類似度計算工程で計算された画像類似度に基づいて、検索結果とする画像データの一覧を表示する画像表示工程のプログラムコードと、
前記第１検索条件を修正して再検索を行う場合に前記入力画面に入力された第２検索条件とする画像の第２画像特徴量と前記第１画像特徴量とに基づいて、前記画像類似度計算工程乃び前記画像表示工程を実行するか否かを決定する決定工程のプログラムコードと
を備える。
【手続補正８】
【補正対象書類名】明細書
【補正対象項目名】００１６
【補正方法】変更
【補正の内容】
【００１６】
上記の目的を達成するための本発明による画像検索装置は以下の構成を備える。即ち、
複数の画像データを蓄積した画像データベースから所望の画像データを検索する画像検索装置であって、
前記複数の画像データそれぞれと、それぞれの画像データの画像特徴量を対応付けて記憶する記憶手段と、
入力画面を用いて画像を入力する入力手段と、
前記入力手段で入力された画像の画像特徴量を計算する画像特徴量計算手段と、
前記画像特徴量計算手段で計算された画像特徴量と、前記記憶手段に記憶された画像データの画像特徴量に基づいて、画像類似度を計算する画像類似度計算手段と、
前記画像類似度計算手段で計算された画像類似度に基づいて、検索結果とする画像データの一覧を表示する画像表示手段と、
前記画像表示手段による表示を中断する中断手段と
を備える。
【手続補正９】
【補正対象書類名】明細書
【補正対象項目名】００１７
【補正方法】変更
【補正の内容】
【００１７】
上記の目的を達成するための本発明による画像検索方法は以下の構成を備える。即ち、
複数の画像データを蓄積した画像データベースから所望の画像データを検索する画像検索方法であって、
前記複数の画像データそれぞれと、それぞれの画像データの画像特徴量を対応付けて記憶媒体に記憶する記憶工程と、
入力画面に入力された画像の画像特徴量を計算する画像特徴量計算工程と、
前記画像特徴量計算工程で計算された画像特徴量と、前記記憶工程で記憶媒体に記憶された画像データの画像特徴量に基づいて、画像類似度を計算する画像類似度計算工程と、
前記画像類似度計算工程で計算された画像類似度に基づいて、検索結果とする画像データの一覧を表示する画像表示工程と、
前記画像表示工程による表示を中断する中断工程と
を備える。
【手続補正１０】
【補正対象書類名】明細書
【補正対象項目名】００１８
【補正方法】変更
【補正の内容】
【００１８】
上記の目的を達成するための本発明によるコンピュータ可読メモリは以下の構成を備える。即ち、
複数の画像データを蓄積した画像データベースから所望の画像データを検索する画像検索のプログラムコードが格納されたコンピュータ可読メモリであって、
前記複数の画像データそれぞれと、それぞれの画像データの画像特徴量を対応付けて記憶媒体に記憶する記憶工程のプログラムコードと、
入力画面に入力された画像の画像特徴量を計算する画像特徴量計算工程のプログラムコードと、
前記画像特徴量計算工程で計算された画像特徴量と、前記記憶工程で記憶媒体に記憶された画像データの画像特徴量に基づいて、画像類似度を計算する画像類似度計算工程のプログラムコードと、
前記画像類似度計算工程で計算された画像類似度に基づいて、検索結果とする画像データの一覧を表示する画像表示工程のプログラムコードと、
前記画像表示工程による表示を中断する中断工程のプログラムコードと
を備える。
【手続補正１１】
【補正対象書類名】明細書
【補正対象項目名】００１９
【補正方法】変更
【補正の内容】
【００１９】
上記の目的を達成するための本発明による画像検索装置は以下の構成を備える。即ち、
複数の画像データを蓄積した画像データベースから所望の画像データを検索する画像検索装置であって、
前記複数の画像データそれぞれと、それぞれの画像データの画像特徴量を対応付けて記憶する記憶手段と、
入力画面を用いて画像を入力する入力手段と、
前記入力手段で入力された画像の画像特徴量を計算する画像特徴量計算手段と、
前記画像特徴量計算手段で計算された画像特徴量と、前記記憶手段に記憶された画像データの画像特徴量に基づいて、画像類似度を計算する画像類似度計算手段と、
前記画像類似度計算手段で計算された画像類似度に基づいて、検索結果とする画像データの一覧を表示する画像表示手段と、
前記画像表示手段で一度表示された画像データをキャッシュするキャッシュ手段と
を備える。
【手続補正１２】
【補正対象書類名】明細書
【補正対象項目名】００２０
【補正方法】変更
【補正の内容】
【００２０】
上記の目的を達成するための本発明による画像検索方法は以下の構成を備える。即ち、
複数の画像データを蓄積した画像データベースから所望の画像データを検索する画像検索方法であって、
前記複数の画像データそれぞれと、それぞれの画像データの画像特徴量を対応付けて第１記憶媒体に記憶する記憶工程と、
入力画面に入力された画像の画像特徴量を計算する画像特徴量計算工程と、
前記画像特徴量計算工程で計算された画像特徴量と、前記記憶工程で第１記憶媒体に記憶された画像データの画像特徴量に基づいて、画像類似度を計算する画像類似度計算工程と、
前記画像類似度計算工程で計算された画像類似度に基づいて、検索結果とする画像データの一覧を表示する画像表示工程と、
前記画像表示工程で一度表示された画像データを第２記憶媒体にキャッシュするキャッシュ工程と
を備える。
【手続補正１３】
【補正対象書類名】明細書
【補正対象項目名】００２１
【補正方法】変更
【補正の内容】
【００２１】
上記の目的を達成するための本発明によるコンピュータ可読メモリは以下の構成を備える。即ち、
複数の画像データを蓄積した画像データベースから所望の画像データを検索する画像検索のプログラムコードが格納されたコンピュータ可読メモリであって、
前記複数の画像データそれぞれと、それぞれの画像データの画像特徴量を対応付けて第１記憶媒体に記憶する記憶工程のプログラムコードと、
入力画面に入力された画像の画像特徴量を計算する画像特徴量計算工程のプログラムコードと、
前記画像特徴量計算工程で計算された画像特徴量と、前記記憶工程で第１記憶媒体に記憶された画像データの画像特徴量に基づいて、画像類似度を計算する画像類似度計算工程のプログラムコードと、
前記画像類似度計算工程で計算された画像類似度に基づいて、検索結果とする画像データの一覧を表示する画像表示工程のプログラムコードと、
前記画像表示工程で一度表示された画像データを第２記憶媒体にキャッシュするキャッシュ工程のプログラムコードと
を備える。
【手続補正１４】
【補正対象書類名】明細書
【補正対象項目名】００２２
【補正方法】変更
【補正の内容】
【００２２】
上記の目的を達成するための本発明による画像検索装置は以下の構成を備える。即ち、
複数の画像データを蓄積した画像データベースから所望の画像データを検索する画像検索装置であって、
前記複数の画像データそれぞれと、それぞれの画像データの画像特徴量を対応付けて記憶する記憶手段と、
画像を入力する入力手段と、
前記入力手段で入力された画像の画像特徴量を計算する画像特徴量計算手段と、
前記画像特徴量計算手段で計算された画像特徴量と、前記記憶手段に記憶された画像データの画像特徴量に基づいて、画像類似度を計算する画像類似度計算手段と、
前記画像類似度計算手段で計算された画像類似度に基づいて、検索結果とする画像データの一覧を表示する画像表示手段と、
前記画像表示手段で表示対象の画像データが前回の表示で既に表示されている画像データであるか否かを判定する判定手段と、
前記判定手段の判定結果に基づいて、前記画像表示手段による表示を制御する制御手段と
を備える。
【手続補正１５】
【補正対象書類名】明細書
【補正対象項目名】００２３
【補正方法】変更
【補正の内容】
【００２３】
上記の目的を達成するための本発明による画像検索方法は以下の構成を備える。即ち、
複数の画像データを蓄積した画像データベースから所望の画像データを検索する画像検索方法であって、
前記複数の画像データそれぞれと、それぞれの画像データの画像特徴量を対応付けて第１記憶媒体に記憶する記憶工程と、
入力された画像の画像特徴量を計算する画像特徴量計算工程と、
前記画像特徴量計算工程で計算された画像特徴量と、前記記憶工程で第１記憶媒体に記憶された画像データの画像特徴量に基づいて、画像類似度を計算する画像類似度計算工程と、
前記画像類似度計算工程で計算された画像類似度に基づいて、検索結果とする画像データの一覧を表示する画像表示工程と、
前記画像表示工程で表示対象の画像データが前回の表示で既に表示されている画像データであるか否かを判定する判定工程と、
前記判定工程の判定結果に基づいて、前記画像表示工程による表示を制御する制御工程と
を備える。
【手続補正１６】
【補正対象書類名】明細書
【補正対象項目名】００２４
【補正方法】変更
【補正の内容】
【００２４】
上記の目的を達成するための本発明によるコンピュータ可読メモリは以下の構成を備える。即ち、
複数の画像データを蓄積した画像データベースから所望の画像データを検索する画像検索のプログラムコードが格納されたコンピュータ可読メモリであって、
前記複数の画像データそれぞれと、それぞれの画像データの画像特徴量を対応付けて第１記憶媒体に記憶する記憶工程のプログラムコードと、
入力された画像の画像特徴量を計算する画像特徴量計算工程のプログラムコードと、
前記画像特徴量計算工程で計算された画像特徴量と、前記記憶工程で第１記憶媒体に記憶された画像データの画像特徴量に基づいて、画像類似度を計算する画像類似度計算工程のプログラムコードと、
前記画像類似度計算工程で計算された画像類似度に基づいて、検索結果とする画像データの一覧を表示する画像表示工程のプログラムコードと、
前記画像表示工程で表示対象の画像データが前回の表示で既に表示されている画像データであるか否かを判定する判定工程のプログラムコードと、
前記判定工程の判定結果に基づいて、前記画像表示工程による表示を制御する制御工程のプログラムコードと
を備える。